(57)【要約】【課題】議事録ファイルの編集を行うオペレータの負担を軽減する。【解決手段】オペレータＡは、コンピュータ１２０ａを操作して、メインプロジェクタ１００ａによって投影されるスライド画像を切り替える。オペレータＢは、サブプロジェクタ１００ｂによって投影される議事録ファイルの画像を見ながら、コンピュータ１２０ｂを操作して、議事録ファイルを編集する。入力モードが、入力交換モードに切り替えると、それ以降は、スライド画像の切替は、オペレータＢによって行われるようになり、議事録ファイルの編集は、オペレータＡによって行われるようになる。さらに、入力モードが、多重入力モードに切り替えられた後、スライド画像の切替は、メインプロジェクタ１００ａのリモコン１０２又は操作パネル３４の操作により行われ、議事録ファイルの編集は、オペレータＡ、Ｂの両方によって行われるようになる。【選択図】図９
2009014780.tif 000002
【特許請求の範囲】
【請求項１】
他のプロジェクタと連携しつつ画像を投影するプロジェクタであって、
入力された操作入力情報に従ってアプリケーションソフトウエアを実行し、その実行結果に基づく画像を投影するアプリケーション実行部と、
操作入力装置と通信可能な第１の通信インターフェイスと、
前記他のプロジェクタと通信可能な第２の通信インターフェイスと、
操作入力元を切り替えるための切替情報が入力された場合に、前記アプリケーション実行部に入力される操作入力情報を、前記第１の通信インターフェイスを介して入力される情報か、前記第２の通信インターフェイスを介して入力される情報かのいずれかに切替える切替部と、
前記第１の通信インターフェイス及び／又は前記第２の通信インターフェイスを介して前記切替情報が入力されたとき、当該切替情報を前記切替部に入力する制御部と、を備えるプロジェクタ。
【請求項２】
前記制御部は、
前記第１の通信インターフェイスを介して入力された情報が、前記切替情報である場合には、その情報を、前記第２の通信インターフェイスを介して前記他のプロジェクタに送信することを特徴とする請求項１に記載のプロジェクタ。
【請求項３】
少なくとも前記切替情報を入力可能な操作部をさらに備え、
前記制御部は、
前記操作部を介して入力された情報が、前記切替情報である場合には、その情報を、前記切替部に入力することを特徴とする請求項１又は２に記載のプロジェクタ。
【請求項４】
前記制御部は、
前記操作部を介して入力された情報が、前記切替情報である場合には、その情報を、前記第２の通信インターフェイスを介して前記他のプロジェクタに送信することを特徴とする請求項３に記載のプロジェクタ。
【請求項５】
前記操作部としての筐体上の操作パネルを備えることを特徴とする請求項３又は４に記載のプロジェクタ。
【請求項６】
前記操作部としてのリモートコントローラを備えることを特徴とする請求項３〜５のいずれか一項に記載のプロジェクタ。
【請求項７】
前記切替部は、
前記第２の通信インターフェイスを介して入力される情報を、前記アプリケーション実行部に入力する場合には、前記第１の通信インターフェイスを介して入力される情報を、前記第２の通信インターフェイスを介して前記他のプロジェクタに送信することを特徴とする請求項１〜６のいずれか一項に記載のプロジェクタ。
【請求項８】
前記アプリケーション実行部は、
入力された操作入力情報に従って、前記他のプロジェクタによって投影される画像と関連付けられた編集ファイルに書き込み可能なアプリケーションソフトウエアを実行し、その実行結果に基づく画像を投影することを特徴とする請求項１〜７のいずれか一項に記載のプロジェクタ。
【請求項９】
所定のアプリケーションソフトウエアを実行し、その実行結果に基づく画像を投影する第１のプロジェクタと、
入力された操作入力情報に従って、前記第１のプロジェクタによって投影される画像に関連付けられた編集ファイルに書き込み可能なアプリケーションソフトウエアを実行するアプリケーション実行部を有するとともに、その編集ファイルの内容に相当する画像を投影する第２のプロジェクタと、を備え、
前記第２のプロジェクタは、
第１の操作入力装置から出力された操作入力情報を入力する第１の通信インターフェイスと、
前記第１のプロジェクタからの情報を受信し、第２の操作入力装置から出力された操作入力情報を前記第１のプロジェクタ経由で受信する第２の通信インターフェイスと、
操作入力元を切り替えるための切替情報が入力された場合に、前記アプリケーション実行部に入力される操作入力情報を、前記第１の通信インターフェイスを介して入力される情報か、前記第２の通信インターフェイスを介して入力される情報かのいずれかに切替える切替部と、
前記第１の通信インターフェイス及び／又は前記第２の通信インターフェイスを介して前記切替情報が入力されたとき、当該切替情報を前記切替部に入力する制御部と、をさらに備える表示システム。
【発明の詳細な説明】
【技術分野】
【０００１】
本発明は、他のプロジェクタと連携しつつ画像を投影するプロジェクタ及びそのプロジェクタを複数備える表示システムに関する。
【背景技術】
【０００２】
従来より、会議、講演、プレゼンテーションなどにおいては、関連資料を、出席者が同時に見ることができるように、スクリーン上などにその資料画像を投影するプロジェクタが用いられることが多い。さらに、会議等では、互いに関連する複数の資料画像を同時に投影したい場合があり、このような場合には、複数のプロジェクタが同時に用いられることもしばしばである。
【０００３】
複数の画像を同時に投影するために複数のプロジェクタを手動で操作するのはオペレータにとってかなりの負担となるため、オペレータの負担を軽減するための技術が従来より開示されている。例えば、各プロジェクタで投影されるスライドショーソフトウエアの各ページのスライド画像を、ページ毎に順次表示させるためのシナリオファイルや投影する画像ファイルを自動作成したり、編集したりする技術が開示されている（例えば、特許文献１〜３参照）。
【０００４】
【特許文献１】国際公開第０１／９５２５６号公報パンフレット
【特許文献２】特開２００５−１００４００号公報
【特許文献３】特開２００５−１０８２１９号公報
【発明の開示】
【発明が解決しようとする課題】
【０００５】
ところで、複数のプロジェクタを同時に使用してグループワークを行う場合として、例えば、一方のプロジェクタで、スライドショーソフトウエアの各ページのスライド画像を投影し、他方のプロジェクタで、そのスライド画像が投影されている間の議事の内容を記録すべき議事録ファイルを投影するような場合がある。
【０００６】
このような場合、各プロジェクタには、スライドショーソフトウエアや議事録ファイルの編集を可能とする操作入力装置としてのコンピュータがそれぞれ接続されている。そして、スライドショーのソフトウエアのスライド画像の切替については、スライド画像を投影するプロジェクタに接続されたコンピュータを操作するオペレータが行い、議事録ファイルの編集については、その議事録ファイルの内容に相当する画像を投影するプロジェクタに接続されたコンピュータを操作するオペレータが行っている。
【０００７】
このように、議事録ファイルの編集が可能なコンピュータは、議事録ファイルを投影するプロジェクタに直接接続されたコンピュータだけであるため、議事の進行中、そのコンピュータを操作するオペレータが、議事録ファイルの編集をし続けることになる。議事録ファイルの編集は、キー入力などの数が多く、オペレータにとっては、大変負担のかかる作業である。そこで、議事の途中で、オペレータが席を交代したり、コンピュータをオペレータ間で交換したりすることが行われている。
【０００８】
本発明は、上記課題を解決するためになされたもので、複数のプロジェクタによる画像投影を行おうとするオペレータの負担を軽減することができるプロジェクタ及び表示システムを提供することを目的とする。
【課題を解決するための手段】
【０００９】
上記目的を達成するために、請求項１に記載のプロジェクタは、他のプロジェクタと連携しつつ画像を投影するプロジェクタであって、入力された操作入力情報に従ってアプリケーションソフトウエアを実行し、その実行結果に基づく画像を投影するアプリケーション実行部と、操作入力装置と通信可能な第１の通信インターフェイスと、前記他のプロジェクタと通信可能な第２の通信インターフェイスと、操作入力元を切り替えるための切替情報が入力された場合に、前記アプリケーション実行部に入力される操作入力情報を、前記第１の通信インターフェイスを介して入力される情報か、前記第２の通信インターフェイスを介して入力される情報かのいずれかに切替える切替部と、前記第１の通信インターフェイス及び／又は前記第２の通信インターフェイスを介して前記切替情報が入力されたとき、当該切替情報を前記切替部に入力する制御部と、を備えることを特徴とする。
【００１０】
また、請求項２に記載のプロジェクタでは、請求項１に記載のプロジェクタにおいて、前記制御部は、前記第１の通信インターフェイスを介して入力された情報が、前記切替情報である場合には、その情報を、前記第２の通信インターフェイスを介して前記他のプロジェクタに送信することを特徴とする。
【００１１】
また、請求項３に記載のプロジェクタでは、請求項１又は２に記載のプロジェクタにおいて、少なくとも前記切替情報を入力可能な操作部をさらに備え、前記制御部は、前記操作部を介して入力された情報が、前記切替情報である場合には、その情報を、前記切替部に入力することを特徴とする。
【００１２】
また、請求項４に記載のプロジェクタでは、請求項３に記載のプロジェクタにおいて、前記制御部は、前記操作部を介して入力された情報が、前記切替情報である場合には、その情報を、前記第２の通信インターフェイスを介して前記他のプロジェクタに送信することを特徴とする。
【００１３】
また、請求項５に記載のプロジェクタでは、請求項３又は４に記載のプロジェクタにおいて、前記操作部としての筐体上の操作パネルを備えることを特徴とする。
【００１４】
また、請求項６に記載のプロジェクタでは、請求項３〜５のいずれか一項に記載のプロジェクタにおいて、前記操作部としてのリモートコントローラを備えることを特徴とする。
【００１５】
また、請求項７に記載のプロジェクタでは、請求項１〜６のいずれか一項に記載のプロジェクタにおいて、前記切替部は、前記第２の通信インターフェイスを介して入力される情報を、前記アプリケーション実行部に入力する場合には、前記第１の通信インターフェイスを介して入力される情報を、前記第２の通信インターフェイスを介して前記他のプロジェクタに送信することを特徴とする。
【００１６】
また、請求項８に記載のプロジェクタでは、請求項１〜７のいずれか一項に記載のプロジェクタにおいて、前記アプリケーション実行部は、入力された操作入力情報に従って、前記他のプロジェクタによって投影される画像と関連付けられた編集ファイルに書き込み可能なアプリケーションソフトウエアを実行し、その実行結果に基づく画像を投影することを特徴とする。
【００１７】
また、請求項９に記載の表示システムは、入力された操作入力情報に従って、前記第１のプロジェクタによって投影される画像に関連付けられた編集ファイルに書き込み可能なアプリケーションソフトウエアを実行するアプリケーション実行部を有するとともに、その編集ファイルの内容に相当する画像を投影する第２のプロジェクタと、を備え、前記第２のプロジェクタは、第１の操作入力装置から出力された操作入力情報を入力する第１の通信インターフェイスと、前記第１のプロジェクタからの情報を受信し、第２の操作入力装置から出力された操作入力情報を前記第１のプロジェクタ経由で受信する第２の通信インターフェイスと、操作入力元を切り替えるための切替情報が入力された場合に、前記アプリケーション実行部に入力される操作入力情報を、前記第１の通信インターフェイスを介して入力される情報か、前記第２の通信インターフェイスを介して入力される情報かのいずれかに切替える切替部と、前記第１の通信インターフェイス及び／又は前記第２の通信インターフェイスを介して前記切替情報が入力されたとき、当該切替情報を前記切替部に入力する制御部と、をさらに備えることを特徴とする。
【発明の効果】
【００１８】
請求項１に記載のプロジェクタでは、アプリケーション実行部が、入力される操作入力情報に従ってアプリケーションソフトウエアを実行し、その実行結果に基づく画像を投影する。そして、切替部は、アプリケーション実行部に入力される操作入力情報を、入力される切替情報に従って、第１の通信インターフェイスを介して入力される情報と、第２の通信インターフェイスを介して入力される情報とのいずれかに切替可能となっている。さらに、制御部は、第１の通信インターフェイス及び／又は第２の通信インターフェイスを介して切替情報が入力されたとき、その切替情報を切替部に入力する。
【００１９】
すなわち、このプロジェクタは、第１の通信インターフェイス及び／又は第２の通信インターフェイスを介して入力される切替情報、すなわち外部から入力される切替情報に従って、アプリケーション実行部に入力される情報を、第１の通信インターフェイスを介して入力される情報と、第２の通信インターフェイスを介して入力される情報とのいずれかに切替可能となっている。このように、アプリケーション実行部に入力される操作入力情報の入力元を切替えられるようになっていれば、複数のオペレータが、その席を代わったり、操作入力装置を互いに交換することなく、アプリケーション実行部への操作入力情報の入力操作を交代することができるようになるので、複数のプロジェクタによる画像投影を行おうとするオペレータの負担を軽減することができる。
【００２０】
また、請求項２に記載のプロジェクタによれば、制御部は、第１の通信インターフェイスを介して操作入力元の切替情報が入力された場合には、その切替情報を、第２の通信インターフェイスを介して他のプロジェクタにも送信する。このようにすれば、他のプロジェクタと連携して操作入力元の切替などを行うことができるようになる。
【００２１】
また、請求項３に記載のプロジェクタによれば、少なくとも前記切替情報を入力可能な操作部を有しており、制御部は、操作部を介して入力された切替情報を切替部に入力する。切替部は、この切替情報に従って、アプリケーション実行部に入力される操作入力情報を、第１の通信インターフェイスを介して入力される情報か、第２の通信インターフェイスを介して入力される情報かのいずれかに切り替える。このようにすれば、プロジェクタの操作部からも、操作入力情報の操作入力元の切り替えを行うことができるようになるので、その切替方法を多様化させることができるようになる。この結果、操作入力元を切り替える際のオペレータの負担が大いに軽減される。
【００２２】
また、請求項４に記載のプロジェクタによれば、操作部を介して入力された切替情報を、第２の通信インターフェイスを介して他のプロジェクタにも送信する。このようにすれば、他のプロジェクタにも、アプリケーション実行部に入力される操作入力情報の操作入力元の切替を知らせることができるようになり、他のプロジェクタと連携して操作入力元の切替などを行うことができるようになる。
【００２３】
また、請求項５に記載のプロジェクタによれば、操作パネルを用いて操作入力元の切替が可能となるため、その切替が容易となる。
【００２４】
また、請求項６に記載のプロジェクタによれば、リモートコントローラを用いて操作入力元の切替が可能となるため、その切替がさらに容易となる。
【００２５】
また、請求項７に記載のプロジェクタによれば、切替部は、他のプロジェクタから第２の通信インターフェイスを介して入力された情報を、アプリケーション実行部に入力する場合には、操作入力装置から第１の通信インターフェイスを介して入力された情報を、第２の通信インターフェイスを介して他のプロジェクタに送信する。このようにすれば、プロジェクタ同士で情報の交換が可能となるため、他のプロジェクタとの間に行われる操作入力元の切替が容易となる。
【００２６】
また、請求項８に記載のプロジェクタによれば、アプリケーション実行部は、編集ファイルに書き込み可能なアプリケーションソフトウエアを実行し、その実行結果に基づく画像を投影している。編集ファイルの編集は、膨大な数の操作入力情報の操作入力が必要である。このプロジェクタでは、編集ファイルを編集するための操作入力情報の操作入力元を切替えることができるようになっているので、その編集作業を複数のオペレータが分担して行うことができるようになる。この結果、オペレータの負担が大いに軽減されるようになるようになる。
【００２７】
また、請求項９に記載の表示システムによれば、第１のプロジェクタは、所定のアプリケーションソフトウエアを実行し、その実行結果に基づく画像を投影する。そして、第２のプロジェクタは、第１のプロジェクタによって投影される画像に関連付けられた編集ファイルに書き込み可能なアプリケーションソフトウエアを実行するアプリケーション実行部を有しており、その編集ファイルの内容に相当する画像を投影する。
【００２８】
さらに、第２のプロジェクタは、第１の操作入力装置から出力された操作入力情報を入力する第１の通信インターフェイスを有しており、さらに、第２の操作入力装置から出力された操作入力情報を第１のプロジェクタ経由で受信する第２の通信インターフェイスを有している。
【００２９】
さらに、第２のプロジェクタでは、アプリケーション実行部に入力される操作入力情報は、操作入力元を切り替えるために第１の通信インターフェイス及び／又は第２の通信インターフェイスを介して入力される切替情報に従って、制御部による制御の下、切替部により、第１の操作入力装置から出力され、第１の通信インターフェイスを介して入力される情報と、第２の操作入力装置から出力され、第１のプロジェクタを経由して第２の通信インターフェイスを介して入力される情報とのいずれかに切替可能である。これにより、第１の操作入力装置を操作するオペレータと、第２の操作入力装置を操作するオペレータとが、その席を代わったり、操作入力装置を交換することなく、編集ファイルへの操作入力情報の操作入力作業を交代することができるようになるので、複数のプロジェクタによる画像投影を連携して行おうとする各オペレータの負担を軽減することができる。
【発明を実施するための最良の形態】
【００３０】
以下、本発明の一実施形態について、図面に基づいて詳細に説明する。
【００３１】
図１には、本発明の一実施形態に係る表示システム２００の概略構成が示されている。図１に示されるように、本実施形態に係る表示システム２００は、２台のプロジェクタ１００ａ、１００ｂを備えている。プロジェクタ１００ａ、１００ｂは、画像を投影する同型の投影装置である。左側のプロジェクタ１００ａの画像の投影領域をＳ１とし、右側のプロジェクタ１００ｂの画像の投影領域をＳ２とする。ここで、画像とは、写真や絵のようなものに限定されるものではなく、例えば、テキストや表だけで構成されるようなものであってもよい。すなわち、投影可能な画像であればどのようなものであってもよい。
【００３２】
なお、プロジェクタ１００ａ、１００ｂには、複数のＵＳＢ（Ｕｎｉｖｅｒｓａｌ  Ｓｅｒｉａｌ  Ｂｕｓ）ポートが設けられており、各ＵＳＢポートに、ＵＳＢケーブル１０５を接続可能となっている。プロジェクタ１００ａ、１００ｂは、１本のＵＳＢケーブル１０５を介して互いにデータ通信可能に接続されている。
【００３３】
また、プロジェクタ１００ａの残りのＵＳＢポートには、ＵＳＢケーブル１０５を介してパーソナルコンピュータ（以下、「コンピュータ」と略述する）１２０が接続され、プロジェクタ１００ｂの残りのＵＳＢポートには、ＵＳＢケーブル１０５を介してコンピュータ１２０ｂが接続されている。各コンピュータ１２０ａには、複数のスライドショーソフトウエアのスライド画像の画像データファイルやテキスト編集ファイルが格納されている。コンピュータ１２０ａ、１２０ｂは、ＵＳＢケーブル１０５を介して、そのキーボード操作により入力されるキー情報などの操作入力情報をプロジェクタ１００ａ、１００ｂに送信可能となっている。
【００３４】
また、プロジェクタ１００ａ、１００ｂには、そのプロジェクタを遠隔操作するための赤外線のリモートコントローラ（以下、「リモコン」と略述する）１０２が装備されている。このリモコン１０２の遠隔操作により、プロジェクタ１００ａ、１００ｂに対して、各種操作コマンドが送信されると、プロジェクタ１００ａ、１００ｂは、受信された操作コマンドに従って動作するようになっている。
【００３５】
本実施形態に係る表示システム２００では、プロジェクタ１００ａ、１００ｂのうち、第１のプロジェクタとしての左側のプロジェクタ１００ａは、スライドショーソフトウエアの各ページのスライド画像、すなわち主画像を投影するメインのプロジェクタとして動作し、第２のプロジェクタとしての右側のプロジェクタ１００ｂは、議事録などが記述されるテキスト編集ファイルの内容に相当する画像、すなわち副画像を投影するサブのプロジェクタとして動作する。以下では、適宜、左側のプロジェクタ１００ａをメインプロジェクタ１００ａと呼び、右側のプロジェクタ１００ｂをサブプロジェクタ１００ｂと呼ぶこととする。なお、サブプロジェクタ１００ｂは、複数台あってもよい。この場合には、サブプロジェクタ１００ｂ同士は、ＵＳＢケーブル１０５でカスケード接続されるようになる。
【００３６】
本実施形態では、２台のコンピュータ１２０ａ、１２０ｂは、主として、プロジェクタ１００ａ、１００ｂに対するデータファイルの格納先として、さらには、プロジェクタ１００のアプリケーションソフト(スライドショー、編集ファイルに書き込み)及び、後述する振分コントローラに対する操作入力装置としてのみ動作するものとする。各プロジェクタ１００ａ、１００ｂは、後述するように、コンピュータ１２０ａ、１２０ｂと同様に、情報処理機能を有しており、後述するテキストエディタやスライドショーソフトウエアなどのアプリケーションソフトウエアは、コンピュータ１２０ａ、１２０ｂではなく、プロジェクタ１００ａ、１００ｂで起動され、実行される。プロジェクタ１００ａ、１００ｂは、コンピュータ１２０ａ、１２０ｂ内のハードディスクに格納された電子ファイルを読み出したり、書き込んだりすることができるようになっており、コンピュータ１２０ａ、１２０ｂのキーボードのキー入力や、マウス等のポインティングデバイスの操作情報は、プロジェクタ１００ａ、１００ｂにそのまま送られるようになっている。
【００３７】
図２には、プロジェクタ１００ａの内部構成を示すブロック図が示されている。プロジェクタ１００ｂも、同様の構成となっている。図２に示されるように、プロジェクタ１００ａは、投影部１０と、画像処理部２０と、制御部３０と、内部バス４０とを備えている。投影部１０は、画像を投影するための各種光学系を有している。また、画像処理部２０は、一連の画像処理を行い、投影部１０によって投影される画像を形成する。制御部３０は、投影部１０と画像処理部２０とを統括制御する。
【００３８】
図２に示されるように、投影部１０は、ランプ制御回路１１と、ランプ１２と、照明光学系１３と、光変調素子１４と、結像光学系１５とを備えている。ランプ制御回路１１は、内部バス４０に接続されている。ランプ制御回路１１は、制御部３０の統括制御の下で、ランプ１２を点灯させる。ランプ１２は、投影用の照明光を出射する。ランプ１２から発せられた照明光は、照明光学系１３に入射され整形される。照明光学系１３より出射した照明光は、光変調素子１４を均一に照明する。光変調素子１４としては、例えば液晶パネルが用いられるが、デジタルミラーデバイスなどを用いるようにしてもよい。光変調素子１４には、後述する画像処理部２０による駆動により、投影されるべき画像が形成されている。したがって、光変調素子１４を通過した照明光は、その画像情報を含む光となっている。光変調素子１４を通過した照明光は、結像光学系１５に入射し、結像光学系１５を介してスクリーンＳ１上に到達する。光変調素子１４とスクリーンＳ１とは、共役の関係にあるので、結像光学系１５は、光変調素子１４に形成された画像を、スクリーンＳ１上に結像させるようになる。
【００３９】
画像処理部２０は、画像処理回路２２と、光変調素子ドライブ回路２３とを備えている。画像処理回路２２は、内部バス４０に接続されている。内部バス４０には、後述するフレームメモリ４２が接続されており、このフレームメモリ４２に画像データを書き込むようにすれば（描画すれば）、その画像データに相当するデジタル信号が、内部バス４０を介して、画像処理回路２２に送信されるようになる。画像データは、内部バス４０を介して、画像処理回路２２に入力される。
【００４０】
画像処理回路２２は、入力された画像データに対して所定の画像処理を行い、その画像データ信号を出力する。この画像データ信号は、光変調素子ドライブ回路２３に入力される。光変調素子ドライブ回路２３は、画像データ信号に対応する駆動信号を生成して、その駆動信号に従って光変調素子１４を駆動する。これにより、光変調素子１４上に画像が形成される。
【００４１】
制御部３０は、マイクロコンピュータ３１を中心に構成されている。マイクロコンピュータ３１は、ＣＰＵと、ＲＯＭと、ＲＡＭとを備えている（いずれも不図示）。マイクロコンピュータ３１では、ＣＰＵがＲＯＭに格納されたプログラムを実行することにより、内部バス４０を介して指令をプロジェクタ１００ａ内の各部に送信し、プロジェクタ１００ａを統括制御する。
【００４２】
ＣＰＵで実行されるプログラムの中には、オペレーティングシステム（以下、「ＯＳ」とする）がある。このＯＳは、コンピュータ１２０ａ等と同様のファイル管理が可能となっている。また、マイクロコンピュータ３１では、このＯＳ上で、プロジェクタ１００ａ内部の制御プログラム等のアプリケーションソフトウエアが実行されるようになる。このようなアプリケーションソフトウエアの中には、テキスト編集ファイルを編集可能ないわゆるテキストエディタ（いわゆるメモ帳程度の簡易なエディタでよい）や、プレゼンテーションなどに用いられるスライドショーソフトウエアなどがある。
【００４３】
このようなＯＳ、テキストエディタ、スライドショーソフトウエア、フォント、文字コード表（Ｓｈｉｆｔ−ＪＩＳ、ＡＳＣＩＩ、ｅｔｃ・・・）などの各種プログラム及びデータは、不揮発性メモリ４１に格納されており、マイクロコンピュータ３１から、必要に応じて呼び出されて、マイクロコンピュータ３１で実行され、又は用いられる。なお、不揮発性メモリ４１は備えず、前記各種プログラム及びデータを、マイクロコンピュータ３１内のＲＯＭに格納しても良いし、別途、不揮発性メモリ４１は備えず、マイクロコンピュータ３１内のＲＯＭを不揮発性メモリとしてもよい。不揮発性メモリ４１を用いることで、前記各種プログラム及びデータ等のアップデート等の修正が可能となる。
【００４４】
マイクロコンピュータ３１は、上記各種プログラムを実行した結果、作成される画像データを、フレームメモリ４２に描画する。フレームメモリ４２に描画された画像データは、画像処理回路２２に送られ、最終的に、その画像データに基づく画像が投影されるようになるのは、前述した通りである。
【００４５】
さらに、制御部３０は、マイクロコンピュータ３１の他に、操作部としての操作パネル３４を備えている。この操作パネル３４には、プロジェクタ１００ａを操作するための各種操作ボタン等（例えば、音声ボリュームのつまみなど）が配設されている。この操作パネル３４上の各種操作類を操作すれば、その操作入力に対応する情報（操作入力情報）が、内部バス４０を介して、マイクロコンピュータ３１に送られる。マイクロコンピュータ３１は、そのデジタルデータに従って、制御プログラムを実行し、プロジェクタ１００ａを動作させる。
【００４６】
また、制御部３０は、リモコン１０２のインターフェイスとしての、赤外線受光部３８と、赤外線制御部３７とを備えている。リモコン１０２が操作されると、リモコン１０２からはその操作入力に応じた赤外線の光信号が出力され、赤外線受光部３８は、その信号を受光し、その受光結果に相当する電気信号を赤外線制御部３７に出力する。赤外線制御部３７は、その電気信号をデジタルデータ（操作入力情報）に変換して、内部バス４０を介して、マイクロコンピュータ３１に送信する。マイクロコンピュータ３１は、その操作入力情報に従って、制御プログラムを実行し、プロジェクタ１００ａを動作させる。
【００４７】
また、制御部３０は、ＵＳＢインターフェイス３６をさらに備えている。ＵＳＢインターフェイス３６には、ポートが２つ以上設けられており、２つ以上のＵＳＢケーブル１０５を接続することができるようになっている。図１、図２では、ＵＳＢインターフェイス３６を介して、他のプロジェクタ１００ｂと、コンピュータ１２０ａとが接続されている様子が示されている。
【００４８】
このように、マイクロコンピュータ３１と各種インターフェイスとは、内部バス４０を介して互いに接続されている。操作パネル３４やリモコン１０２上の各種操作ボタン等を操作すれば、その操作入力情報は、内部バス４０を介して、マイクロコンピュータ３１に送られる。マイクロコンピュータ３１は、その操作入力情報に従って、制御プログラムや各種アプリケーションを実行する。
【００４９】
例えば、マイクロコンピュータ３１により、テキストエディタが起動され、編集ファイルが書き込み可能にオープンされると、操作入力情報としてのコンピュータ１２０ａのキーボードの入力キーに従って、編集ファイルの内容が編集されるようになり、その編集された内容に基づく画像が投影されるようになる。また、マイクロコンピュータ３１により、スライドショーソフトウエアが起動されると、操作入力情報としてのコンピュータ１２０ａのキーボードの入力キーや、マウスなどの操作情報、あるいは、リモコン１０２や操作パネル３４の操作入力などに従って、スライド画像などが切り替えられるようになり、切り替えられたスライド画像が投影されるようになる。
【００５０】
ＵＳＢインターフェイス３６と内部バス４０との間には、振分コントローラ３５が設けられている。切替部としての振分コントローラ３５は、設定された入力モードに従って、マイクロコンピュータ３１に入力する操作入力情報を切り替えることができるようになっている。
【００５１】
図３には、振分コントローラ３５において設定可能な以下の入力モードが示されている。
（１）直接接続されたコンピュータ１２０ａ、１２０ｂ（メインプロジェクタ１００ａにとってはコンピュータ１２０ａ、サブプロジェクタ１００ｂにとってはコンピュータ１２０ｂ）のみから送られた操作入力情報のみをマイクロコンピュータ３１に入力する直接入力モード
（２）他のプロジェクタ（プロジェクタ１００ｂであればプロジェクタ１００ｂ）から送られた操作入力情報のみをマイクロコンピュータ３１に入力する入力交換モード
（３）サブプロジェクタ１００ｂでは、メインプロジェクタ１００ａから送られた操作入力情報と、直接接続されたコンピュータ１２０ｂから送られた操作入力情報との両方をマイクロコンピュータ３１に入力し、メインプロジェクタ１００ａでは、いずれの操作入力情報も、マイクロコンピュータ３１に入力しない多重入力モード
【００５２】
マイクロコンピュータ３１は、コンピュータ１２０ａや、操作パネル３４又はリモコン１０２から、上記、入力モードの切替要求が入力された場合には、振分コントローラ３５の入力モードを、その切替要求に従って切り替える。図３に示されるように、「直接入力モード」、「入力交換モード」、「多重入力モード」には、それぞれＩＤ番号として、１〜３が割り当てられており、プロジェクタ１００ａ、１００ｂのマイクロコンピュータ３１は、振分コントローラ３５の現在の入力モードのＩＤ番号を、ＲＡＭ上に保持することにより、入力モードを管理している。
【００５３】
以上述べたように、投影部１０、画像処理部２０、制御部３０の各構成要素は、内部バス４０に接続されている。各部のデータ通信は、この内部バス４０を介して行われ、制御部３０のマイクロコンピュータ３１は、この内部バス４０を介して、各部を統括制御している。
【００５４】
次に、表示システム２００の動作について説明する。まず、システムの動作の概要を、図４、図５、図６を用いて説明する。なお、図４、図５、図６では、各プロジェクタ１００ａ、１００ｂのＵＳＢインターフェイス３６が、コンピュータ１２０ａ、１２０ｂに接続されたインターフェイス部分のブロック３６1（すなわち第１の通信インターフェイスのブロック）と、もう一方のプロジェクタと接続されたインターフェイス部分のブロック３６2（すなわち第２の通信インターフェイスのブロック）との２つに分けて示されている。
【００５５】
表示システム２００では、メインプロジェクタ１００ａとサブプロジェクタ１００ｂとが、連携して動作する。この連携動作により、メインプロジェクタ１００ａによってスライドショーの各ページのスライド画像と、サブプロジェクタ１００ｂによって投影される議事録のテキスト編集ファイル（議事録ファイル）の内容の画像とは、常に同期して切り替えられるようになっている。言い換えると、サブプロジェクタ１００ｂでは、メインプロジェクタ１００ａによって投影される画像と関連付けられた議事録ファイルの内容に相当する画像が投影されるようになっている。サブプロジェクタ１００ｂでは、投影された議事録ファイルが書き込み可能にオープンされている。
【００５６】
図４に示されるように、デフォルト状態（プロジェクタ１００ａ、１００ｂの電源投入後の状態）では、メインプロジェクタ１００ａ及びサブプロジェクタ１００ｂの振分コントローラ３５の入力モードには、「直接入力モード」が設定されている。したがって、メインプロジェクタ１００ａの振分コントローラ３５は、コンピュータ１２０ａから入力され、ＵＳＢインターフェイス３６1を介して入力された操作入力情報のみを、スライドショーソフトウエアを実行するマイクロコンピュータ３１に入力するようになっている。また、サブプロジェクタ１００ｂの振分コントローラ３５は、コンピュータ１２０ｂからＵＳＢインターフェイス３６1を介して入力された操作入力情報のみを、テキストエディタを実行するマイクロコンピュータ３１に入力するようになっている。
【００５７】
すなわち、「直接入力モード」においては、コンピュータ１２０ａの操作入力により、メインプロジェクタ１００ａによって投影されるスライド画像のページ切替が行われ、コンピュータ１２０ｂの操作入力により、サブプロジェクタ１００ａによって投影される議事録ファイルの編集が行われる。
【００５８】
この状態で、例えば、リモコン１０２の操作、操作パネル３４の操作、コンピュータ１２０ａ、１２０ｂのキーボード入力（例えば、切替用のショートカットキー）あるいは、マウス等の操作により、切替情報としての入力モードの切替信号が入力されたとする。この切替信号は、上述のように、いずれかのプロジェクタのマイクロコンピュータ３１に送られる。このマイクロコンピュータ３１は、この切替信号に含まれる切替情報に従って、振分コントローラ３５の入力モードの設定を「入力交換モード」に切り替えるとともに、切替指令を、ＵＳＢインターフェイス３６2を介してもう一方のプロジェクタのマイクロコンピュータ３１に送る。もう一方のプロジェクタのマイクロコンピュータ３１は、この切替指令を受け取ると、振分コントローラ３５の入力モードを、「入力交換モード」に設定する。
【００５９】
入力交換モードに切り替えられた後は、図５に示されるように、メインプロジェクタ１００ａの振分コントローラ３５は、コンピュータ１２０ａから入力され、ＵＳＢインターフェイス３６1を介して入力された操作入力情報（すなわちコンピュータ１２０ａのキーボード入力やマウスの操作情報）を、サブプロジェクタ１００ｂに送信する。一方、サブプロジェクタ１００ｂの振分コントローラ３５は、コンピュータ１２０ｂから入力され、ＵＳＢインターフェイス３６1を介して入力された操作入力情報（すなわちコンピュータ１２０ｂのキーボード入力やマウスの操作情報）を、メインプロジェクタ１００ａに送信する。さらに、メインプロジェクタ１００ａの振分コントローラ３５は、サブプロジェクタ１００ｂからＵＳＢインターフェイス３６2を介して受信された操作入力情報を、スライドショーソフトウエアを実行するマイクロコンピュータ３１に入力する。一方、サブプロジェクタ１００ｂの振分コントローラ３５は、メインプロジェクタ１００ａからＵＳＢインターフェイス３６1を介して受信された操作入力情報を、テキストエディタを実行するマイクロコンピュータ３１に入力する。
【００６０】
すなわち、「入力交換モード」においては、コンピュータ１２０ｂの操作入力により、メインプロジェクタ１００ａによって投影されるスライド画像の切替（スライド送り）が行われ、コンピュータ１２０ａの操作入力により、サブプロジェクタ１００ｂによって投影される議事録ファイルの編集が行われるようになる。
【００６１】
また、リモコン１０２の操作、操作パネル３４の操作、コンピュータ１２０ａ又はコンピュータ１２０ｂのキーボード入力あるいは、マウス等の操作により、「多重入力モード」への切替信号が入力されたとする。この切替信号が入力されると、そのプロジェクタのマイクロコンピュータ３１は、振分コントローラ３５の入力モードの設定を「多重入力モード」に切り替えるとともに、その切替指令を、ＵＳＢインターフェイス３６2を介して、もう一方のプロジェクタに送る。マイクロコンピュータ３１は、この切替指令を受け取ると、振分コントローラ３５の入力モードを、「多重入力モード」に設定する。
【００６２】
多重入力モードに切り替えた後、図６に示されるように、メインプロジェクタ１００ａの振分コントローラ３５は、コンピュータ１２０ａから入力され、ＵＳＢインターフェイス３６1を介して入力された操作入力情報を、ＵＳＢインターフェイス３６2を介して、サブプロジェクタ１００ｂに送信する。サブプロジェクタ１００ｂの振分コントローラ３５は、メインプロジェクタ１００ａから送られ、ＵＳＢインターフェイス３６2を介して得られた操作入力情報と、コンピュータ１２０ｂから入力され、ＵＳＢインターフェイス３６1を介して入力された操作入力情報とを両方自らのマイクロコンピュータ３１に送信する。
【００６３】
すなわち、「多重入力モード」においては、コンピュータ１２０ａの操作入力によっても、コンピュータ１２０ｂの操作入力によっても、サブプロジェクタ１００ｂによって投影される議事録ファイルの編集が可能となる。このように、「多重入力モード」が設定された場合には、サブプロジェクタ１００ｂによって投影された編集ファイルは、左右両方のコンピュータ１２０ａ、１２０ｂを用いて編集が可能となる。この場合、メインプロジェクタ１００ａによって投影されたスライドショー画像の切替は、メインプロジェクタ１００ａのリモコン１０２や操作パネル３４などを操作して切替えるようにする。
【００６４】
なお、「直接入力モード」、「入力交換モード」、「多重入力モード」の切替は、リモコン１０２の操作により、相互に切り替えることができるようになっている。すなわち、「直接入力モード」から「多重入力モード」への切替も可能であるし、「多重入力モード」から、「直接入力モード」又は「入力交換モード」への切替も可能である。
【００６５】
図７には、マイクロコンピュータ３１で実行される制御プログラムの１つである、振分コントローラ３５の入力モードの切替処理のフローチャートが示されている。この切替処理は、メインプロジェクタ１００ａ、サブプロジェクタ１００ｂの双方で同じように実行される。
【００６６】
まず、図７に示されるように、ステップ２０１では、マイクロコンピュータ３１は、アプリケーション（スライドショーソフトウエア又はテキストエディタ）を起動する。これにより、例えば、メインプロジェクタ１００ａであれば、スライドショーソフトウエアが起動されて実行され、スクリーンＳ１上に、スライド画像が投影されるようになる。また、サブプロジェクタ１００ｂであれば、テキストファイルが起動され、編集ファイルが書き込み可能にオープンされ、その内容に相当する画像がスクリーンＳ２上に投影されるようになる。
【００６７】
次のステップ２０３では、マイクロコンピュータ３１は、リモコン１０２又は操作パネル３４の入力モードの切替ボタン、又は、操作入力を受け付けている方のコンピュータ１２０ａ又はコンピュータ１２０ｂの切替のショートカットキー（すなわち切替指示に相当するショートカットキー）が押下されたか否かを判断する。この判断が肯定されれば、ステップ２０５に進み、否定されればステップ２０７に進む。
【００６８】
ステップ２０５では、マイクロコンピュータ３１は、他のプロジェクタに切替指示を送信する。一方、ステップ２０７では、マイクロコンピュータ３１は、他のプロジェクタから切替指示を受信したか否かを判断する。
【００６９】
ステップ２０５の実行後又はステップ２０７で判断が肯定された後は、ステップ２０９に進む。ステップ２０９では、マイクロコンピュータ３１は、振分コントローラ３５の入力モードの切替処理のサブルーチンを実行する。
【００７０】
このサブルーチンでは、図８に示されるように、まず、ステップ３０１において、マイクロコンピュータ３１は、ＲＡＭに格納された入力設定リストを参照して、現在設定されている入力モードのＩＤ番号を読み出す。次のステップ３０３では、マイクロコンピュータ３１は、切替要求のあった入力モードのＩＤ番号が、入力設定リストに格納されているＩＤ番号と異なっているか否かを判断する。この判断が肯定された場合にのみ、ステップ３０５及びステップ３０７を行う。
【００７１】
ステップ３０５では、マイクロコンピュータ３１は、振分コントローラ３５の設定を、更新された入力モードに従って変更する。
【００７２】
例えば、「直接入力モード」に更新された場合には、図４に示されるように、メインプロジェクタ１００ａの振分コントローラ３５は、コンピュータ１２０ａから入力され、ＵＳＢインターフェイス３６1を介して入力された操作入力情報のみを、スライドショーソフトウエアを実行するマイクロコンピュータ３１に入力するように設定される。また、サブプロジェクタ１００ｂの振分コントローラ３５は、コンピュータ１２０ｂからＵＳＢインターフェイス３６1を介して入力された操作入力情報のみを、テキストエディタを実行するマイクロコンピュータ３１に入力するように設定される。
【００７３】
例えば、「入力交換モード」に更新された場合には、図５に示されるように、メインプロジェクタ１００ａの振分コントローラ３５は、コンピュータ１２０ａから入力され、ＵＳＢインターフェイス３６1を介して入力された操作入力情報を、サブプロジェクタ１００ｂに送信するとともに、ＵＳＢインターフェイス３６2を介して受信された操作入力情報を、スライドショーソフトウエアを実行するマイクロコンピュータ３１に入力するように設定される。一方、サブプロジェクタ１００ｂの振分コントローラ３５は、コンピュータ１２０ｂから入力され、ＵＳＢインターフェイス３６1を介して入力された操作入力情報を、メインプロジェクタ１００ａに送信し、ＵＳＢインターフェイス３６1を介して受信された操作入力情報を、テキストエディタを実行するマイクロコンピュータ３１に入力するように設定される。
【００７４】
例えば、「多重入力モード」に更新された場合には、図６に示されるように、メインプロジェクタ１００ａの振分コントローラ３５は、コンピュータ１２０ａから入力され、ＵＳＢインターフェイス３６1を介して入力された操作入力情報を、ＵＳＢインターフェイス３６2を介して、サブプロジェクタ１００ｂに送信するように設定される。一方、サブプロジェクタ１００ｂの振分コントローラ３５は、メインプロジェクタ１００ａから送られ、ＵＳＢインターフェイス３６2を介して得られた操作入力情報と、コンピュータ１２０ｂから入力され、ＵＳＢインターフェイス３６1を介して入力された操作入力情報とを両方自らのマイクロコンピュータ３１に送信するように設定される。
【００７５】
次のステップ３０７では、入力モードのＩＤ番号を書き換えることにより、入力設定リストを更新する。ステップ３０７終了後、又はステップ３０３で判断が否定された後は、マイクロコンピュータ３１は、サブルーチンを終了し、図７のステップ２１１に進む。
【００７６】
次のステップ２１１では、マイクロコンピュータ３１は、アプリケーションが終了したか否かを判断する。この判断が否定されれば、ステップ２０３に戻り、肯定されれば処理を終了する。
【００７７】
以降、ステップ２１１で判断が肯定されるまで、ステップ２０３〜ステップ２０９の処理が上述したようにして繰り返され、切替ボタン等が押下されるか、他のプロジェクタから切替指示を受信すると、振分コントローラ３５の入力モードの切替が行われる。
【００７８】
図９には、表示システム２００を用いて行われるグループワークの一例が示されている。図９では、メインプロジェクタ１００ａに接続されたコンピュータ１２０ａは、オペレータＡが操作しており、サブプロジェクタ１００ｂに接続されたコンピュータ１２０ｂは、オペレータＢが操作しているものとする。
【００７９】
オペレータＡは、コンピュータ１２０ａを操作して、メインプロジェクタ１００ａによって投影されるスライド画像の１ページ目を表示させる。すると、サブプロジェクタ１００ｂでは、１ページ目のスライド画像に対応する議事録ファイルが書き込み可能にオープンされ、その議事録ファイルの内容が投影される。オペレータＢは、その議事録ファイルの画像を見ながら、コンピュータ１２０ｂを操作して、議事録ファイルを編集する。
【００８０】
同様に、オペレータＡは、コンピュータ１２０ａを操作して、メインプロジェクタ１００ａによって投影されるスライド画像の２ページ目を表示させる。すると、サブプロジェクタ１００ｂでは、２ページ目のスライド画像に対応する議事録ファイルが書き込み可能にオープンされ、その議事録ファイルの内容が投影される。オペレータＢは、その議事録ファイルの画像を見ながら、コンピュータ１２０ｂを操作して、議事録ファイルを編集する。
【００８１】
ここで、入力モードが、「入力交換モード」に切り替えられたとする。この場合、３ページ目のスライド画像の切替は、コンピュータ１２０ｂを用いてオペレータＢによって行われるようになる。そして、議事録ファイルの編集は、コンピュータ１２０ａを用いてオペレータＡによって行われるようになる。
【００８２】
４ページ目のスライド画像が投影された後、入力モードが、「多重入力モード」に切り替えられたとする。この場合、５ページ目のスライド画像の切替は、メインプロジェクタ１００ａのリモコン１０２又は操作パネル３４の操作により行われるようになる。そして、議事録ファイルの編集は、コンピュータ１２０ａ、コンピュータ１２０ｂの両方を用いてオペレータＡ、Ｂによって行われるようになる。
【００８３】
このように、振分コントローラ３５の入力モードを切り替え可能とし、オペレータＡも議事録ファイルの編集を行えるようにすれば、オペレータＢの議事録ファイルの編集作業の負担を軽減することが可能となる。
【００８４】
以上詳細に説明したように、各プロジェクタ１００ａ、１００ｂでは、マイクロコンピュータ３１が、入力される操作入力情報に従ってアプリケーションソフトウエアを実行し、その実行結果に基づく画像を投影する。そして、振分コントローラ３５は、マイクロコンピュータ３１に入力される操作入力情報を、入力される切替情報に従って、ＵＳＢインターフェイス３６1を介してコンピュータ１２０ａから入力される情報と、もう一方のプロジェクタからＵＳＢインターフェイス３６2を介して入力される情報とのいずれかに切替可能となっている。さらに、マイクロコンピュータ３１は、ＵＳＢインターフェイス３６1及び／又はＵＳＢインターフェイス３６2を介して切替情報が入力されたとき、その切替情報を振分コントローラ３５に入力する。
【００８５】
すなわち、各プロジェクタ１００ａ、１００ｂは、ＵＳＢインターフェイス３６1及び／又はＵＳＢインターフェイス３６2を介して入力される切替情報、すなわち外部から入力される切替情報に従って、マイクロコンピュータ３１に入力される情報を、ＵＳＢインターフェイス３６1を介して入力される情報と、ＵＳＢインターフェイス３６2を介して入力される情報とのいずれかに切替可能となっている。このように、マイクロコンピュータ３１に入力される操作入力情報の入力元を切替えられるようになっていれば、複数のオペレータが、その席を代わったり、操作入力装置を互いに交換することなく、マイクロコンピュータ３１への操作入力情報の入力操作を交代することができるようになるので、複数のプロジェクタ１００ａ、１００ｂによる画像投影を行おうとするオペレータの負担を軽減することができる。
【００８６】
また、本実施形態によれば、ＵＳＢインターフェイス３６1を介して入力モードの切替情報が入力された場合には、その切替情報を、ＵＳＢインターフェイス３６2を介して他のプロジェクタにも送信する。このようにすれば、他のプロジェクタでも、マイクロコンピュータ３１に入力される操作入力情報の入力モードの切替を自動的に行うことができるようになる。
【００８７】
また、本実施形態によれば、マイクロコンピュータ３１は、プロジェクタ１００ａ、１００ｂの操作パネル３４やリモコン１０２を介して入力された切替情報も、振分コントローラ３５に入力する。このようにすれば、プロジェクタ１００ａ、１００ｂの操作部からも切替情報を入力可能となるので、操作入力元の切り替え方法を多様化させることができるようになるため、操作入力元を切り替える際のオペレータの負担を軽減することができる。
【００８８】
また、本実施形態によれば、操作パネル３４やリモコン１０２から入力モードの切替指令が入力された場合には、その切替指令を、ＵＳＢインターフェイス３６を介して他のプロジェクタ１００ａ、１００ｂにも送信する。このようにすれば、他のプロジェクタ１００ａ、１００ｂでも、マイクロコンピュータ３１に入力される操作入力情報の入力モードの切替を自動的に行うことができるようになる。
【００８９】
また、本実施形態によれば、操作パネル３４を用いて、マイクロコンピュータ３１に入力される操作入力情報の操作入力元の切り替えが可能となるため、その切替が容易となる。
【００９０】
また、本実施形態によれば、遠隔操作装置であるリモコン１０２を用いて、マイクロコンピュータ３１に入力される操作入力情報の操作入力元の切り替えが可能となるため、その切替がさらに容易となる。
【００９１】
また、本実施形態によれば、振分コントローラ３５は、他のプロジェクタからＵＳＢインターフェイス３６2を介して入力された情報を、マイクロコンピュータ３１に入力する場合には、コンピュータ１２０ａからＵＳＢインターフェイス３６1を介して入力された情報を、ＵＳＢインターフェイス３６2を介して他のプロジェクタに送信する。このようにすれば、プロジェクタ同士で情報の交換が可能となるため、他のプロジェクタとの間に行われる操作入力元の切替が容易となる。
【００９２】
また、本実施形態によれば、サブプロジェクタ１００ｂのマイクロコンピュータ３１は、編集ファイルを書き込み可能なテキストエディタを実行し、その実行結果に基づく画像を投影している。これによると、膨大な数の操作入力情報の入力が必要となる編集ファイルの編集を、交代しながら行うことができるようになるので、複数のプロジェクタ１００ａ、１００ｂによる画像投影を連携して行おうとするオペレータの負担が大いに軽減されるようになる。
【００９３】
また、上記実施形態に係る各プロジェクタ１００ａ、１００ｂでは、入力モードを３つ備えたが、入力モードとして、「直接入力モード」と、「入力交換モード」との２つを備えるだけでもよい。また、上記実施形態では、入力される切替情報を、３つの入力モードを含むものとしたが、入力モードを２つとした場合には、入力される切替情報を、もう一方のモードへの切替指令であるとするようにしてもよい。
【００９４】
プロジェクタを３台以上接続して、入力モードを３台以上のコンピュータで切り替える場合には、その数に応じて入力モードの数を増やしていけばよい。
【００９５】
なお、上記実施形態に係る表示システム２００では、プロジェクタ１００ａ、１００ｂを同型としたが、必ずしも同型である必要はない。要は、プロジェクタ１００ａ、１００ｂが、コンピュータ１２０ａ、１２０ｂから入力された操作入力情報を交換可能となっていればよい。
【００９６】
また、メインプロジェクタ１００ａ上で動作するアプリケーションソフトウエアは、スライドショーソフトウエアでなくてもよく、例えば、動画を表示するソフトウエアなどであってもよい。また、サブプロジェクタ１００ｂ上で動作するアプリケーションソフトウエアも、テキストエディタでなくてもよく、例えば表計算ソフトウエアであってもよい。すなわち、本発明は、アプリケーションソフトウエアの種類には、限定されない。
【００９７】
上記実施形態に係る表示システムでは、プロジェクタ１００ａ、１００ｂ間、プロジェクタ１００ａ、１００ｂとコンピュータ１２０ａ、１２０ｂとの間を、ＵＳＢで接続したが、これには限られず、他の通信ネットワーク（例えば、ローカル・エリア・ネットワーク（ＬＡＮ）など）で接続するようにしてもよい。また、プロジェクタ間をつなぐ通信ネットワークと、プロジェクタとコンピュータとの間をつなぐ通信ネットワークは、異なる種類の通信ネットワークであってもよい。
【００９８】
また、上記実施形態に係るプロジェクタ１００ａ、１００ｂでは、アプリケーションソフトウエアの実行と、入力モードの切替制御とを、同じマイクロコンピュータ３１で行ったが、これらは、別々のマイクロコンピュータで行うようにしてもよい。
【産業上の利用可能性】
【００９９】
以上述べたように、本発明のプロジェクタ及び表示システムは、プレゼンテーションや会議などのグループワークを行う際に用いられるのに適している。
【図面の簡単な説明】
【０１００】
【図１】本発明の一実施形態に係る表示システムの模式図である。
【図２】プロジェクタの構成を示すブロック図である。
【図３】振分コントローラの入力モードを示す図である。
【図４】図４（Ａ）は、直接入力モードにおける操作入力情報のデータ送信の流れを示す図であり、図４（Ｂ）は、入力モードの切替情報のデータ送信の流れを示す図である。
【図５】図５（Ａ）は、入力交換モードにおける操作入力情報のデータ送信の流れを示す図であり、図５（Ｂ）は、入力モードの切替情報のデータ送信の流れを示す図である。
【図６】多重入力モードにおける操作入力情報のデータ送信の流れを示す図である。
【図７】振分コントローラの入力モードの切替動作のフローチャートである。
【図８】図７の切替処理のサブルーチンのフローチャートである。
【図９】表示システム２００による操作入力情報の切替の一例を示す図である。
【符号の説明】
【０１０１】
１０  投影部
１１  ランプ制御回路
１２  ランプ
１３  照明光学系
１４  光変調素子
１５  結像光学系
２０  画像処理部
２２  画像処理回路
２３  光変調素子ドライブ回路
３０  制御部
３１  マイクロコンピュータ
３４  操作パネル
３５  振分コントローラ
３６  ＵＳＢインターフェイス
３７  赤外線制御部
３８  赤外線受光部
４０  内部バス
４１  不揮発性メモリ
４２  フレームメモリ
１００ａ、１００ｂ  プロジェクタ
１０２  リモートコントローラ（リモコン）
１０５  ＵＳＢケーブル
１２０ａ、１２０ｂ  パーソナルコンピュータ（コンピュータ）
２００  表示システム
Ｓ１、Ｓ２  投影領域
【図１】
2009014780.tif 000003
【図２】
2009014780.tif 000004
【図３】
2009014780.tif 000005
【図４】
2009014780.tif 000006
【図５】
2009014780.tif 000007
【図６】
2009014780.tif 000008
【図７】
2009014780.tif 000009
【図８】
2009014780.tif 000010
【図９】
2009014780.tif 000011